(57)【要約】【課題】塵埃等の異物をカード移動路から排出することが可能であっても、内部へのスキミング装置の取付を防止しやすくなるとともに、内部にスキミング装置が取り付けられても、スキミング装置によるデータの不正な読取りを防止することが可能なカードリーダを提供する。【解決手段】カードリーダ１では、カード移動路３を閉鎖する閉鎖位置にあるシャッタ部材１０は、カードリーダ１の奥側に向かって回動すると、カード移動路３を開放する開放位置に移動する。カード２の厚さ方向におけるカード移動路３の側面の、シャッタ部材１０よりも奥側の部分には、開放位置に向かって回動するシャッタ部材１０と本体フレーム４との干渉を防止するとともにカード移動路３から異物を排出するための開口部３１、および、カード移動路３に臨むように配置される可動部材２１と本体フレーム４との干渉を防止するための開口部３２のみが形成されている。【選択図】図１
2019200682.tif 000002
【特許請求の範囲】
【請求項１】
カードに記録されたデータの読取りおよび前記カードへのデータの記録の少なくともいずれか一方を行うカードリーダにおいて、
前記カードが移動するカード移動路が形成される本体フレームと、前記カード移動路を閉鎖する閉鎖位置と前記カード移動路を開放する開放位置との間で回動可能なシャッタ部材と、前記シャッタ部材よりも前記カードリーダの奥側に配置されるとともに前記カード移動路に臨むように配置され所定の動作を行う可動部材とを備え、
前記シャッタ部材は、前記カード移動路を移動する前記カードの移動方向と前記カード移動路を移動する前記カードの厚さ方向とに直交する前記カードの幅方向を回動の軸方向として回動可能となっており、
前記閉鎖位置にある前記シャッタ部材が奥側に向かって回動すると、前記開放位置に移動し、
前記カードの厚さ方向における前記カード移動路の側面の、前記シャッタ部材よりも奥側の部分には、前記開放位置に向かって回動する前記シャッタ部材と前記本体フレームとの干渉を防止するとともに前記カード移動路から異物を排出するための第１開口部、および、前記可動部材と前記本体フレームとの干渉を防止するための第２開口部のみが形成されており、前記第１開口部および前記第２開口部以外の開口部が形成されていないことを特徴とするカードリーダ。
【請求項２】
前記可動部材として、前記カードの一方の面に形成されるＩＣチップの外部接続端子に接触する複数のＩＣ接点バネを有するＩＣ接点ブロックと、前記外部接続端子と前記ＩＣ接点バネとを所定の接触圧で接触させるために前記カードの他方の面に接触して前記カードを支持する支持部材とを備え、
前記支持部材と前記本体フレームとの干渉を防止するための前記第２開口部は、前記カードの厚さ方向における前記カード移動路の一方の側面に形成され、
前記ＩＣ接点ブロックと前記本体フレームとの干渉を防止するための前記第２開口部は、前記カードの厚さ方向における前記カード移動路の他方の側面に形成されていることを特徴とする請求項１記載のカードリーダ。
【請求項３】
カードに記録されたデータの読取りおよび前記カードへのデータの記録の少なくともいずれか一方を行うカードリーダにおいて、
前記カードが移動するカード移動路が形成される本体フレームと、前記カード移動路を閉鎖する閉鎖位置と前記カード移動路を開放する開放位置との間で回動可能なシャッタ部材とを備え、
前記シャッタ部材は、前記カード移動路を移動する前記カードの移動方向と前記カード移動路を移動する前記カードの厚さ方向とに直交する前記カードの幅方向を回動の軸方向として回動可能となっており、
前記閉鎖位置にある前記シャッタ部材が前記カードリーダの奥側に向かって回動すると、前記開放位置に移動し、
前記カードの厚さ方向における前記カード移動路の側面の、前記シャッタ部材よりも奥側の部分には、前記開放位置に向かって回動する前記シャッタ部材と前記本体フレームとの干渉を防止するとともに前記カード移動路から異物を排出するための第１開口部のみが形成されており、前記第１開口部以外の開口部が形成されていないことを特徴とするカードリーダ。
【請求項４】
前記本体フレームは、前記シャッタ部材を回動可能に保持するシャッタ保持部と、前記カードの厚さ方向における前記カード移動路の一方の側面の一部を構成するとともに前記シャッタ部材よりも奥側に配置されるガイド部とを備え、
前記第１開口部は、前記シャッタ保持部と前記ガイド部との間に形成されていることを特徴とする請求項１から３のいずれかに記載のカードリーダ。
【請求項５】
前記ガイド部の前端部には、前側に向かうにしたがって前記カード移動路から離れる方向に傾斜する傾斜面が形成されていることを特徴とする請求項４記載のカードリーダ。
【請求項６】
前記本体フレームは、前記カードの厚さ方向における前記カード移動路の他方の側面と前記カードの幅方向における前記カード移動路の両側面とを構成する第２ガイド部を備え、
前記ガイド部は、前記第２ガイド部と別体で形成され、前記第２ガイド部に固定されていることを特徴とする請求項４または５記載のカードリーダ。
【請求項７】
前記シャッタ部材よりも奥側に配置される静電容量センサを備え、
前記ガイド部は、樹脂で形成され、
前記静電容量センサは、前記ガイド部に取り付けられていることを特徴とする請求項４から６のいずれかに記載のカードリーダ。
【請求項８】
前記開放位置にある前記シャッタ部材の、前記第１開口部の中に配置される部分を開口部配置部とすると、
前記カードの移動方向における前記第１開口部の最大幅は、前記カードの移動方向における前記開口部配置部の幅の１．３〜２倍となっていることを特徴とする請求項１から７のいずれかに記載のカードリーダ。
【請求項９】
前記カードの幅方向における前記カード移動路の側面の、前記シャッタ部材よりも奥側の部分には、前記カード移動路から異物を排出するための第３開口部が形成されていることを特徴とする請求項１から８のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行う手動式のカードリーダが知られている（たとえば、特許文献１参照）。特許文献１に記載のカードリーダは、いわゆるディップ式のカードリーダである。このカードリーダには、カードが移動するカード移動路が形成されている。また、このカードリーダは、カード移動路が形成されるフレームと、複数のＩＣ接点バネを有するＩＣ接点ブロックと、磁気ヘッドとを備えている。
【０００３】
特許文献１に記載のカードリーダでは、フレームの前端側部分に、ユーザによるカードの挿入および引抜きが可能となるように切り欠かれた切欠き部が形成されている。切欠き部は、フレームの前端から奥側に向かって切り欠かれており、切欠き部の両側には、突出部が形成されている。磁気ヘッドは、２個の突出部のうちの一方の突出部に取り付けられている。ＩＣ接点ブロックは、切欠き部よりも奥側でフレームに取り付けられている。また、ＩＣ接点ブロックは、カード移動路を移動するカードの厚さ方向におけるカード移動路の一方の側面からカード移動路に臨むように配置されている。
【０００４】
特許文献１に記載のカードリーダでは、カードの厚さ方向におけるカード移動路の一方の側面に、ＩＣ接点ブロックとフレームとの干渉を防止するための開口部が形成されている。また、カードの厚さ方向におけるカード移動路の他方の側面の、切欠き部よりも奥側の部分には、比較的大きな開口部が形成されている。特許文献１に記載のカードリーダでは、カードの厚さ方向におけるカード移動路の他方の側面に形成される比較的大きな開口部を利用して、カード挿入口からカード移動路に入り込んだ異物をカード移動路から排出することが可能になっている。
【０００５】
また、従来、カードに記録されたデータの読取りやカードへのデータの記録を行うカード搬送式のカードリーダが知られている（たとえば、特許文献２参照）。特許文献２に記載のカードリーダには、カードが搬送されるカード搬送路が形成されている。このカードリーダは、カード搬送路を閉鎖する位置とカード搬送路を開放する位置との間で移動可能なシャッタ部材と、複数のＩＣ接点バネを有するＩＣ接点ブロックと、磁気ヘッドとを備えている。
【０００６】
また、特許文献２に記載のカードリーダは、カード搬送路に異物が取り付けられたことを検知するための静電容量センサを備えている。静電容量センサは、シャッタ部材よりもカードリーダの奥側に配置されている。特許文献２に記載のカードリーダでは、カードに記録されたデータを犯罪者が不正に読み取るためのスキミング装置がカードリーダの内部に取り付けられたことを、静電容量センサを用いて検知することが可能になっている。
【先行技術文献】
【特許文献】
【０００７】
【特許文献１】特開２０１６−１９２０５３号公報
【特許文献２】特開２０１７−２１９９７１号公報
【発明の概要】
【発明が解決しようとする課題】
【０００８】
特許文献１に記載のカードリーダの場合、カードの厚さ方向におけるカード移動路の他方の側面に形成される比較的大きな開口部を利用して、カードリーダの内部にスキミング装置が取り付けられるおそれがある。特許文献１に記載のカードリーダの内部にスキミング装置が取り付けられるのを防止して、スキミング装置によるデータの不正な読取りを防止するためには、カード移動路の他方の側面に形成される開口部を塞げば良い。しかしながら、この開口部を塞ぐと、塵埃等の異物をカード移動路から排出することが困難になる。また、カード移動路の中の異物が排出されずにカード移動路の中に異物が残っていると、カードの移動が阻害されて、カードリーダが使用できなくなるおそれがある。
【０００９】
そこで、本発明の課題は、塵埃等の異物をカード移動路から排出することが可能であっても、カードリーダの内部へのスキミング装置の取付を防止しやすくなるとともに、万が一、カードリーダの内部にスキミング装置が取り付けられても、スキミング装置によるデータの不正な読取りを防止することが可能なカードリーダを提供することにある。
【課題を解決するための手段】
【００１０】
上記の課題を解決するため、本発明のカードリーダは、カードに記録されたデータの読取りおよびカードへのデータの記録の少なくともいずれか一方を行うカードリーダにおいて、カードが移動するカード移動路が形成される本体フレームと、カード移動路を閉鎖する閉鎖位置とカード移動路を開放する開放位置との間で回動可能なシャッタ部材と、シャッタ部材よりもカードリーダの奥側に配置されるとともにカード移動路に臨むように配置され所定の動作を行う可動部材とを備え、シャッタ部材は、カード移動路を移動するカードの移動方向とカード移動路を移動するカードの厚さ方向とに直交するカードの幅方向を回動の軸方向として回動可能となっており、閉鎖位置にあるシャッタ部材が奥側に向かって回動すると、開放位置に移動し、カードの厚さ方向におけるカード移動路の側面の、シャッタ部材よりも奥側の部分には、開放位置に向かって回動するシャッタ部材と本体フレームとの干渉を防止するとともにカード移動路から異物を排出するための第１開口部、および、可動部材と本体フレームとの干渉を防止するための第２開口部のみが形成されており、第１開口部および第２開口部以外の開口部が形成されていないことを特徴とする。
【００１１】
本発明において、たとえば、カードリーダは、可動部材として、カードの一方の面に形成されるＩＣチップの外部接続端子に接触する複数のＩＣ接点バネを有するＩＣ接点ブロックと、外部接続端子とＩＣ接点バネとを所定の接触圧で接触させるためにカードの他方の面に接触してカードを支持する支持部材とを備え、支持部材と本体フレームとの干渉を防止するための第２開口部は、カードの厚さ方向におけるカード移動路の一方の側面に形成され、ＩＣ接点ブロックと本体フレームとの干渉を防止するための第２開口部は、カードの厚さ方向におけるカード移動路の他方の側面に形成されている。
【００１２】
また、上記の課題を解決するため、本発明のカードリーダは、カードに記録されたデータの読取りおよびカードへのデータの記録の少なくともいずれか一方を行うカードリーダにおいて、カードが移動するカード移動路が形成される本体フレームと、カード移動路を閉鎖する閉鎖位置とカード移動路を開放する開放位置との間で回動可能なシャッタ部材とを備え、シャッタ部材は、カード移動路を移動するカードの移動方向とカード移動路を移動するカードの厚さ方向とに直交するカードの幅方向を回動の軸方向として回動可能となっており、閉鎖位置にあるシャッタ部材がカードリーダの奥側に向かって回動すると、開放位置に移動し、カードの厚さ方向におけるカード移動路の側面の、シャッタ部材よりも奥側の部分には、開放位置に向かって回動するシャッタ部材と本体フレームとの干渉を防止するとともにカード移動路から異物を排出するための第１開口部のみが形成されており、第１開口部以外の開口部が形成されていないことを特徴とする。
【００１３】
本発明のカードリーダでは、カードの厚さ方向におけるカード移動路の側面の、シャッタ部材よりも奥側の部分に、開放位置に向かって回動するシャッタ部材と本体フレームとの干渉を防止するとともにカード移動路から異物を排出するための第１開口部が形成されている。そのため、本発明では、第１開口部を利用して塵埃等の異物をカード移動路から排出することが可能になる。
【００１４】
また、本発明では、カードの厚さ方向におけるカード移動路の側面の、シャッタ部材よりも奥側の部分に、可動部材と本体フレームとの干渉を防止するための第２開口部および第１開口部のみが形成されており、第１開口部および第２開口部以外の開口部が形成されていない。あるいは、本発明では、カードの厚さ方向におけるカード移動路の側面の、シャッタ部材よりも奥側の部分に、第１開口部のみが形成されており、第１開口部以外の開口部が形成されていない。そのため、本発明では、カードリーダの内部へのスキミング装置の取付を防止しやすくなる。
【００１５】
さらに、本発明では、カード移動路から異物を排出するための第１開口部は、開放位置に向かって回動するシャッタ部材と本体フレームとの干渉を防止する機能も果たしているため、万が一、第１開口部にスキミング装置が取り付けられたときには、開放位置に向かって回動するシャッタ部材とスキミング装置とが干渉してシャッタ部材が開放位置に移動しなくなる。したがって、本発明では、第１開口部にスキミング装置が取り付けられると、カードリーダにカードを挿入してもシャッタ部材が閉鎖位置から開放位置に回動しなくなって、カードリーダにカードを取り込むことができなくなる。その結果、本発明では、万が一、カードリーダの内部にスキミング装置が取り付けられても、スキミング装置によるデータの不正な読取りを防止することが可能になる。
【００１６】
このように本発明では、塵埃等の異物をカード移動路から排出することが可能であっても、カードリーダの内部へのスキミング装置の取付を防止しやすくなるとともに、万が一、カードリーダの内部にスキミング装置が取り付けられても、スキミング装置によるデータの不正な読取りを防止することが可能になる。また、本発明では、開放位置に向かって回動するシャッタ部材と本体フレームとの干渉を防止するための第１開口部が、カード移動路から異物を排出する機能も果たしており、シャッタ部材のすぐ奥側に第１開口部が形成されている。そのため、本発明では、カード挿入口から入り込んだ塵埃をシャッタ部材のすぐ奥側でカード移動路から排出することが可能になる。
【００１７】
本発明において、たとえば、本体フレームは、シャッタ部材を回動可能に保持するシャッタ保持部と、カードの厚さ方向におけるカード移動路の一方の側面の一部を構成するとともにシャッタ部材よりも奥側に配置されるガイド部とを備え、第１開口部は、シャッタ保持部とガイド部との間に形成されている。
【００１８】
本発明において、ガイド部の前端部には、前側に向かうにしたがってカード移動路から離れる方向に傾斜する傾斜面が形成されていることが好ましい。このように構成すると、第１開口部の奥側に移動するカードの端部がガイド部の前端部で引っ掛かるのを防止することが可能になる。
【００１９】
本発明において、本体フレームは、カードの厚さ方向におけるカード移動路の他方の側面とカードの幅方向におけるカード移動路の両側面とを構成する第２ガイド部を備え、ガイド部は、第２ガイド部と別体で形成され、第２ガイド部に固定されていることが好ましい。このように構成すると、たとえば、ガイド部が取り付けられていないカードリーダがすでに市場に設置されている場合に、このカードリーダにガイド部を追加で取り付けることが可能になる。
【００２０】
本発明において、カードリーダは、シャッタ部材よりも奥側に配置される静電容量センサを備え、ガイド部は、樹脂で形成され、静電容量センサは、ガイド部に取り付けられていることが好ましい。このように構成すると、万が一、カードリーダの内部にスキミング装置が取り付けられたときに、静電容量センサによってスキミング装置が取り付けられたことを検知することが可能になる。
【００２１】
本発明において、開放位置にあるシャッタ部材の、第１開口部の中に配置される部分を開口部配置部とすると、カードの移動方向における第１開口部の最大幅は、カードの移動方向における開口部配置部の幅の１．３〜２倍となっていることが好ましい。本願発明者の検討によれば、このように構成すると、第１開口部へのスキミング装置の取付を効果的に防止しやすくなるとともに、第１開口部を利用して塵埃等の異物をカード移動路から排出しやくなる。
【００２２】
本発明において、カードの幅方向におけるカード移動路の側面の、シャッタ部材よりも奥側の部分には、カード移動路から異物を排出するための第３開口部が形成されていることが好ましい。このように構成すると、カードの幅方向と鉛直方向とが一致するようにカードリーダが設置された場合に、第３開口部を利用して塵埃等の異物をカード移動路から排出することが可能になる。なお、カードの幅方向におけるカード移動路の側面に形成される第３開口部の、カードの厚さ方向の幅は狭いため、第３開口部を利用して、カードリーダの内部にスキミング装置を取り付けることは困難である。
【発明の効果】
【００２３】
以上のように、本発明のカードリーダでは、塵埃等の異物をカード移動路から排出することが可能であっても、カードリーダの内部へのスキミング装置の取付を防止しやすくなるとともに、万が一、カードリーダの内部にスキミング装置が取り付けられても、スキミング装置によるデータの不正な読取りを防止することが可能になる。
【図面の簡単な説明】
【００２４】
【図１】本発明の実施の形態にかかるカードリーダの斜視図である。
【図２】図１に示すカードリーダの底面図である。
【図３】図１に示すカードリーダからガイド部を取り外した状態の斜視図である。
【図４】図１に示すカードリーダからベゼル等を取り外した状態の平面図である。
【図５】図２のＥ−Ｅ断面の断面図である。
【図６】図５においてシャッタ部材が開放位置に配置されている状態の断面図である。
【発明を実施するための形態】
【００２５】
以下、図面を参照しながら、本発明の実施の形態を説明する。
【００２６】
（カードリーダの全体構成）
図１は、本発明の実施の形態にかかるカードリーダ１の斜視図である。図２は、図１に示すカードリーダ１の底面図である。図３は、図１に示すカードリーダ１から第２フレーム１５を取り外した状態の斜視図である。図４は、図１に示すカードリーダ１からベゼル５等を取り外した状態の平面図である。図５は、図２のＥ−Ｅ断面の断面図である。図６は、図５においてシャッタ部材１０が開放位置１０Ｂに配置されている状態の断面図である。
【００２７】
本形態のカードリーダ１は、ユーザが手動でカード２を操作して、カード２に記録されたデータの読取りおよびカード２へのデータの記録の少なくともいずれか一方を行うための装置であり、いわゆるディップ式のカードリーダである。このカードリーダ１は、所定の上位装置（図示省略）に搭載されて使用される。カードリーダ１の内部には、カード２が移動するカード移動路３が形成されている。カードリーダ１は、カード移動路３が形成される本体フレーム４と、カード移動路３に通じるカード挿入口が形成されるとともに本体フレーム４に取り付けられるベゼル（前面フレーム）５とを備えている。
【００２８】
また、カードリーダ１は、複数のＩＣ接点バネを有するＩＣ接点ブロック６（図４参照）と、磁気ヘッド７と、カードリーダ１の内部に挿入されたカード２の引抜きを阻止するレバー部材８（図４参照）と、レバー部材８を回動させる駆動機構９とを備えている。さらに、カードリーダ１は、カード移動路３を閉鎖する閉鎖位置１０Ａ（図５参照）とカード移動路３を開放する開放位置１０Ｂ（図６参照）との間で回動可能なシャッタ部材１０を備えている。
【００２９】
本形態では、カード移動路３においてカード２は、図１等のＸ方向に直線的に移動する。すなわち、Ｘ方向は、カード移動路３を移動するカード２の移動方向である。また、Ｘ方向に直交する図１等のＺ方向は、カード移動路３を移動するカード２の厚さ方向であり、Ｘ方向とＺ方向とに直交する図１等のＹ方向は、カード移動路３を移動するカード２の幅方向である。本形態では、たとえば、鉛直方向（上下方向）とカード２の厚さ方向とが一致するようにカードリーダ１が設置されている。
【００３０】
以下の説明では、Ｘ方向を「前後方向」とし、Ｙ方向を「左右方向」とし、Ｚ方向を「上下方向」とする。また、前後方向の一方側であるＸ１方向側を「後ろ（奥）」側とし、その反対側であるＸ２方向側を「前」側とし、左右方向の一方側であるＹ１方向側を「右」側とし、その反対側であるＹ２方向側を「左」側とし、上下方向の一方側であるＺ１方向側を「上」側とし、その反対側であるＺ２方向側を「下」側とする。本形態では、カード挿入口は、カードリーダ１の前端に形成されており、カード２は、後ろ側に向かってカードリーダ１に挿入される。また、カード２は、前側に向かってカードリーダ１から引き抜かれる。
【００３１】
カード２は、厚さが０．７〜０．８ｍｍ程度の略長方形状の塩化ビニール製のカードである。カード２の裏面には、磁気データが記録される磁気ストライプが形成されている。また、カード２には、ＩＣチップが内蔵されており、カード２のおもて面には、ＩＣチップの外部接続端子が形成されている。カード２は、カード２のおもて面が上側を向くとともに、カード２の長手方向が前後方向と一致した状態で、カード挿入口に挿入される。
【００３２】
本体フレーム４は、全体として、上下方向の厚さが薄い扁平な略直方体状に形成されている。図４に示すように、本体フレーム４の前端側の一部分は、カードリーダ１の前端から奥側に向かって切り欠かれた切欠き部４ａとなっている。切欠き部４ａは、本体フレーム４の前端側の、左右方向の中間位置に形成されており、左右方向における切欠き部４ａの両側には、突出部４ｂ、４ｃが形成されている。右側に配置される突出部４ｂの前端および左端は、カードリーダ１へのカード２の挿入が可能となるように開口している。左側に配置される突出部４ｃの前端および右端は、カードリーダ１へのカード２の挿入が可能となるように開口している。
【００３３】
また、本体フレーム４は、カード移動路３の上側面（カード２の厚さ方向におけるカード移動路３の他方の側面）とカード移動路３の左右方向の両側面（カード２の幅方向におけるカード移動路３の両側面）とを構成する第１フレーム１４と、カード移動路３の下側面（カード２の厚さ方向におけるカード移動路３の一方の側面）の奥側部分を構成する第２フレーム１５と、カード移動路３の下側面の前側部分を構成する第３フレーム１６とから構成されている。本形態では、第１フレーム１４がカード移動路３の後側面を構成している。（図５、図６参照）。
【００３４】
突出部４ｂ、４ｃは、第１フレーム１４の前側部分と第３フレーム１６の前側部分とによって構成されている。シャッタ部材１０は、第３フレーム１６に回動可能に保持されている。本形態の第１フレーム１４は、第２ガイド部であり、第２フレーム１５は、ガイド部材であり、第３フレーム１６は、シャッタ保持部である。本体フレーム４の具体的な構成については後述する。
【００３５】
ベゼル５は、本体フレーム４の前端側部分を覆うように、本体フレーム４の前端側部分に取り付けられている。ベゼル５には、本体フレーム４の切欠き部４ａの形状に応じた切欠き部５ａが形成されている。切欠き部５ａは、ユーザによるカード２の挿入およびカード２の引抜きが可能となるように形成されており、カード挿入口から挿入されたカード２の先端（奥端）がカード移動路３の奥端側まで到達したときに、カード２の前端は、切欠き部５ａの中に配置されている。また、ベゼル５の後面は、開口しており、ベゼル５は、本体フレーム４の前端側部分に前側から取り付けられる。
【００３６】
磁気ヘッド７は、突出部４ｂに取り付けられている。また、磁気ヘッド７は、第３フレーム１６に取り付けられている。磁気ヘッド７は、磁気ヘッド７の磁気ギャップが下側からカード移動路３に臨むように配置されている。磁気ヘッド７は、図示を省略する板バネに固定されており、この板バネの付勢力によって上側に付勢されている。磁気ヘッド７は、カードリーダ１にカード２が挿入されると、カード２の下面に接触してカード２の厚さ分、下降する。また、磁気ヘッド７は、カード２が引き抜かれると、カード２の厚さ分、上昇する。
【００３７】
ＩＣ接点ブロック６は、カードリーダ１の奥側部分に配置されている。ＩＣ接点ブロック６は、ＩＣ接点バネが上側からカード移動路３に臨むように、カード移動路３の上側に配置されている。また、ＩＣ接点ブロック６は、平行リンク機構１８（図４参照）を介して第１フレーム１４に連結されており、前後方向にスライドしながら上下動する。ＩＣ接点ブロック６は、引張りコイルバネ１９（図４参照）によって前側に付勢されている。
【００３８】
本形態では、カードリーダ１の奥側へのカード２の挿入操作に伴って、ＩＣ接点ブロック６が奥側にスライドしながら下降して、カード２の外部接続端子に複数のＩＣ接点バネが接触する。また、奥側に挿入されたカード２が前側に引き抜かれると、カード２のおもて面からＩＣ接点バネが離れるように、引張りコイルバネ１９の付勢力によって、ＩＣ接点ブロック６が前側にスライドしながら上昇する。
【００３９】
ＩＣ接点ブロック６の下側には、カード２の外部接続端子とＩＣ接点バネとを所定の接触圧で接触させるための支持部材２１が配置されている。支持部材２１は、下側からカード移動路３に臨むように配置されている。支持部材２１は、左右方向を回動の軸方向とする回動が可能となるように第１フレーム１４の後端部に支持されている。また、支持部材２１は、支持部材２１の後端部を回動中心にして第１フレーム１４に対して回動可能となっている。支持部材２１の後端部には、支持部材２１の後端部を上側に付勢する引張りコイルバネの一端が取り付けられている。引張りコイルバネの一端は、支持部材２１の回動中心よりも後ろ側で支持部材２１に係合している。
【００４０】
本形態では、カードリーダ１の奥側へのカード２の挿入操作に伴って、引張りコイルバネの付勢力に抗して支持部材２１の前端側が持ち上がり、カード２の外部接続端子とＩＣ接点バネとが所定の接触圧で接触するように、支持部材２１がカード２の裏面（下面）に接触してカード２を下側から支持する。また、奥側に挿入されたカード２が前側に引き抜かれると、引張りコイルバネの付勢力によって、支持部材２１の前端側が下降してカード移動路３から退避する。
【００４１】
後述のように、シャッタ部材１０は、ＩＣ接点ブロック６および支持部材２１よりも前側に配置されている。すなわち、ＩＣ接点ブロック６および支持部材２１は、シャッタ部材１０よりも奥側に配置されている。本形態のＩＣ接点ブロック６および支持部材２１は、シャッタ部材１０より奥側に配置されるとともにカード移動路３に臨むように配置され所定の動作を行う可動部材である。
【００４２】
レバー部材８は、左右方向を回動の軸方向とする回動が可能となるように第１フレーム１４に支持されている。駆動機構９は、ソレノイド２４と、ソレノイド２４の動力をレバー部材８に伝達する動力伝達機構とを備えている。レバー部材８の前端部は、突出部４ｂの前端側に配置されている。レバー部材８は、レバー部材８の前端部がカード移動路３の中に配置されて、挿入されたカード２の引抜きを阻止する引抜き阻止位置と、レバー部材８の前端部がカード移動路３から上側に退避して、カード２の引抜きが可能となる退避位置との間で回動可能になっている。なお、レバー部材８は、ネジリコイルバネ等のバネ部材によって引抜き阻止位置に向かって付勢されており、ソレノイド２４の動力で退避位置から引抜き阻止位置へ回動する。
【００４３】
シャッタ部材１０は、左右方向を回動の軸方向として回動可能になっている。上述のように、シャッタ部材１０は、第３フレーム１６に回動可能に保持されている。具体的には、シャッタ部材１０は、第３フレーム１６の後端部に回動可能に保持されている。シャッタ部材１０は、磁気ヘッド７よりも奥側に配置されるとともに、ＩＣ接点ブロック６および支持部材２１よりも前側に配置されている。また、シャッタ部材１０は、切欠き部４ａよりも奥側に配置されている。
【００４４】
シャッタ部材１０は、カード移動路３を塞ぐシャッタ本体部１０ａと、第３フレーム１６に保持される２個の保持部１０ｂとを備えている。シャッタ本体部１０ａは、左右方向の長さが長い長尺状に形成されている。シャッタ本体部１０ａの左右方向の幅は、カード移動路３の左右方向の幅よりも若干狭くなっている。２個の保持部１０ｂは、シャッタ本体部１０ａの左右方向の両端側のそれぞれに繋がっている。保持部１０ｂは、シャッタ部材１０が閉鎖位置１０Ａに配置されている状態において、シャッタ本体部１０ａから下側に向かって伸びており、保持部１０ｂの下端部が第３フレーム１６の後端部に回動可能に保持されている。
【００４５】
本形態では、閉鎖位置１０Ａにあるシャッタ部材１０が奥側に向かって回動すると、シャッタ部材１０が開放位置１０Ｂに移動する。具体的には、シャッタ部材１０の下端部を回動中心にしてシャッタ部材１０の上端部が奥側へ移動するように、閉鎖位置１０Ａにあるシャッタ部材１０が回動すると、シャッタ部材１０が開放位置１０Ｂに移動する。
【００４６】
また、本形態では、シャッタ部材１０は、ネジリコイルバネによって閉鎖位置１０Ａに向かって付勢されており、カードリーダ１の奥側へ挿入されるカード２の先端（奥端）がシャッタ本体部１０ａの前面に接触した後のカード２の挿入操作に伴って、閉鎖位置１０Ａにあるシャッタ部材１０が開放位置１０Ｂに移動する。また、奥側に挿入されたカード２が前側に引き抜かれると、開放位置１０Ｂにあるシャッタ部材１０が閉鎖位置１０Ａに移動する。
【００４７】
また、カードリーダ１は、閉鎖位置１０Ａにあるシャッタ部材１０の回動を規制する回動規制部材２５を備えている。回動規制部材２５は、上下方向を回動の軸方向として回動可能になっている。カードリーダ１にカード２が挿入されていないときに、回動規制部材２５は、閉鎖位置１０Ａにあるシャッタ部材１０の左右方向の端部に係合してシャッタ部材１０の回動を規制している。短手方向の幅が正規の幅となっているカード２がカードリーダ１に挿入されると、回動規制部材２５が回動して、回動規制部材２５とシャッタ本体部１０ａとの係合状態が解除され、シャッタ部材１０の規制が解除される。なお、回動規制部材２５は、所定のバネ部材によって、シャッタ部材１０と係合する位置に向かって付勢されている。
【００４８】
（本体フレームの構成）
上述のように、本体フレーム４は、第１フレーム１４と第２フレーム１５と第３フレーム１６とから構成されている。第１フレーム１４と第２フレーム１５と第３フレーム１６とは、別体で形成されている。また、第１フレーム１４、第２フレーム１５および第３フレーム１６は、樹脂で形成されている。第２フレーム１５は、第１フレーム１４に固定されている。具体的には、第２フレーム１５は、ネジ３０によって第１フレーム１４の奥側部分に固定されている。ネジ３０は、第２フレーム１５の後端部に配置されるとともに、第２フレーム１５の左右の両端部に配置されている。
【００４９】
第１フレーム１４には、第２フレーム１５の前端部が係合する係合溝１４ａが形成されている。係合溝１４ａは、第１フレーム１４の左右の両端側に形成されている。係合溝１４ａによって、第１フレーム１４に対する第２フレーム１５の上下左右方向および前方向への相対移動が規制されている。なお、第３フレーム１６も、ネジによって第１フレーム１４の前側部分に固定されている。また、第２フレーム１５は、金属で形成されていても良い。
【００５０】
上述のように、シャッタ部材１０は、第３フレーム１６の後端部に回動可能に保持されている。第２フレーム１５は、シャッタ部材１０よりも奥側に配置されている。第３フレーム１６と第２フレーム１５との間には、開放位置１０Ｂに向かって回動するシャッタ部材１０と本体フレーム４との干渉（具体的には、シャッタ部材１０と第２フレーム１５との干渉）を防止するとともにカード移動路３から異物を排出するための開口部３１が形成されている。
【００５１】
すなわち、カード移動路３の下側面の、シャッタ部材１０よりも奥側の部分には、開口部３１が形成されている。具体的には、前後方向において、第３フレーム１６の後端面と第２フレーム１５の前端面との間には隙間が形成されており、この隙間が開口部３１となっている。開口部３１は、本体フレーム４の下面からカード移動路３まで通じている。本形態の開口部３１は、第１開口部である。
【００５２】
第３フレーム１６の後端面は、前後方向に直交する平面となっている。第２フレーム１５の前端面は、前後方向に略直交する平面状の第１前端面１５ａと、第１前端面１５ａの左右の両端に繋がる平面状の２個の第２前端面１５ｂとから構成されている。第２前端面１５ｂは、左右方向の外側に向かうにしたがって前側に向かうように傾斜する傾斜面である。第２フレーム１５の前端部には、前側に向かうにしたがって下側に向かうように傾斜する傾斜面１５ｃが形成されている。すなわち、第２フレーム１５の前端部には、前側に向かうにしたがってカード移動路３から離れる方向に傾斜する傾斜面１５ｃが形成されている。具体的には、第２フレーム１５の前端部の上面に、傾斜面１５ｃが形成されている。傾斜面１５ｃの前端は、第１前端面１５ａの上端に繋がっている。
【００５３】
開口部３１の左右方向の幅は、シャッタ本体部１０ａの左右方向の幅よりも広くなっている。また、第１前端面１５ａの左右方向の幅は、シャッタ本体部１０ａの左右方向の幅とほぼ等しくなっている。図６に示すように、開放位置１０Ｂにあるシャッタ部材１０の、開口部３１の中に配置される部分を開口部配置部１０ｃとすると、開口部３１の前後方向の最大幅Ｗ１は、開口部配置部１０ｃの前後方向の幅Ｗ２の１．３〜２倍となっている。すなわち、第３フレーム１６の後端面と第１前端面１５ａとの前後方向の距離である最大幅Ｗ１は、幅Ｗ２の１．３〜２倍となっている。本形態では、最大幅Ｗ１は、幅Ｗ２の約１．５倍となっている。
【００５４】
第１フレーム１４には、ＩＣ接点ブロック６と本体フレーム４との干渉（具体的には、ＩＣ接点ブロック６と第１フレーム１４との干渉）を防止するための開口部３２が形成されている。すなわち、カード移動路３の上側面の、シャッタ部材１０よりも奥側の部分には、開口部３２が形成されている。開口部３２は、上下方向で第１フレーム１４を貫通しており、本体フレーム４の上面からカード移動路３まで通じている。開口部３２の大きさは、前後方向にスライドしながら上下動するＩＣ接点ブロック６と第１フレーム１４とが干渉しない程度の必要最小限の大きさとなっている。本形態の開口部３２は、第２開口部である。
【００５５】
第２フレーム１５には、支持部材２１と本体フレーム４との干渉（具体的には、支持部材２１と第２フレーム１５との干渉）を防止するための開口部３３が形成されている。すなわち、カード移動路３の下側面の、シャッタ部材１０よりも奥側の部分には、開口部３３が形成されている。開口部３３は、上下方向で第２フレーム１５を貫通しており、本体フレーム４の下面からカード移動路３まで通じている。開口部３３の大きさは、後端部を回動中心にして回動する支持部材２１と第２フレーム１５とが干渉しない程度の必要最小限の大きさとなっている。本形態の開口部３３は、第２開口部である。
【００５６】
本形態では、カード移動路３の上下の両側面の、シャッタ部材１０よりも奥側の部分には、開口部３１〜３３のみが形成されている。すなわち、カード移動路３の上下の両側面の、シャッタ部材１０よりも奥側の部分には、開口部３１〜３３以外の開口部は形成されておらず、カード移動路３の上下の両側面の、シャッタ部材１０よりも奥側の部分は、開口部３１〜３３を除いて塞がっている（埋まっている）。なお、第３フレーム１６の前端部には、磁気ヘッド７の上端部が配置される開口部３４が形成されている。開口部３４は、上下方向で第３フレーム１６を貫通している。また、第１フレーム１４の前端部には、レバー部材８の前端部が配置される開口部が形成されている。この開口部は、上下方向で第１フレーム１４を貫通している。
【００５７】
第１フレーム１４の左右方向の側面の、シャッタ部材１０よりも奥側の部分には、カード移動路３から異物を排出するための開口部３５が形成されている。すなわち、カード移動路３の左右方向の側面の、シャッタ部材１０よりも奥側の部分には、開口部３５が形成されている。開口部３５は、たとえば、第１フレーム１４の左側面に形成されている。開口部３５は、左右方向で第１フレーム１４を貫通しており、本体フレーム４の左側面からカード移動路３まで通じている。また、開口部３５は、前後方向に細長い長方形の角穴状に形成されている。本形態の開口部３５は、第３開口部である。
【００５８】
（本形態の主な効果）
以上説明したように、本形態では、カード移動路３の下側面の、シャッタ部材１０よりも奥側の部分に、開放位置１０Ｂに向かって回動するシャッタ部材１０と第２フレーム１５との干渉を防止するとともにカード移動路３から異物を排出するための開口部３１が形成されている。そのため、本形態では、開口部３１を利用して塵埃等の異物をカード移動路３から排出することが可能になる。
【００５９】
本形態では、カード移動路３の上下の両側面の、シャッタ部材１０よりも奥側の部分に、開口部３１〜３３のみが形成されており、開口部３１〜３３以外の開口部は形成されていない。そのため、本形態では、カードリーダ１の内部へのスキミング装置の取付を防止しやすくなる。なお、カード移動路３の左側面に形成される開口部３５の上下方向の幅は狭いため、カード移動路３の左側面に開口部３５が形成されていても、開口部３５を利用して、カードリーダ１の内部にスキミング装置を取り付けることは困難である。
【００６０】
本形態では、カード移動路３から異物を排出するための開口部３１は、開放位置１０Ｂに向かって回動するシャッタ部材１０と第２フレーム１５との干渉を防止する機能も果たしている。そのため、本形態では、万が一、開口部３１にスキミング装置が取り付けられたときには、開放位置１０Ｂに向かって回動するシャッタ部材１０とスキミング装置とが干渉してシャッタ部材１０が開放位置１０Ｂに移動しなくなる。したがって、本形態では、開口部３１にスキミング装置が取り付けられると、カードリーダ１にカード２を挿入してもシャッタ部材１０が閉鎖位置１０Ａから開放位置１０Ｂに回動しなくなって、カードリーダ１にカード２を取り込むことができなくなる。その結果、本形態では、万が一、カードリーダ１の内部にスキミング装置が取り付けられても、スキミング装置によるデータの不正な読取りを防止することが可能になる。
【００６１】
本形態では、開口部３１の前後方向の最大幅Ｗ１は、開口部配置部１０ｃの前後方向の幅Ｗ２の１．３〜２倍となっている。そのため、本願発明者の検討によれば、開口部３１へのスキミング装置の取付を効果的に防止しやすくなるとともに、開口部３１を利用して塵埃等の異物をカード移動路３から排出しやくなる。また、本形態では、シャッタ部材１０のすぐ奥側に開口部３１が形成されているため、カード挿入口から入り込んだ塵埃をシャッタ部材１０のすぐ奥側でカード移動路３から排出することが可能になる。
【００６２】
本形態では、第２フレーム１５の前端部に、前側に向かうにしたがって下側に向かうように傾斜する傾斜面１５ｃが形成されている。そのため、本形態では、開口部３１の奥側に移動するカード２の先端（奥端）が第２フレーム１５の前端部で引っ掛かるのを防止することが可能になる。また、本形態では、第２フレーム１５は、第１フレーム１４と別体で形成され、第１フレーム１４に固定されているため、たとえば、第２フレーム１５が取り付けられていないカードリーダ１がすでに市場に設置されている場合に、このカードリーダ１に第２フレーム１５を追加で取り付けることが可能になる。
【００６３】
（他の実施の形態）
上述した形態は、本発明の好適な形態の一例ではあるが、これに限定されるものではなく本発明の要旨を変更しない範囲において種々変形実施が可能である。
【００６４】
上述した形態において、カードリーダ１は、シャッタ部材１０よりも奥側に配置される静電容量センサ４０を備えていても良い（図２の二点鎖線参照）。この場合には、静電容量センサ４０は、樹脂製の第２フレーム１５に取り付けられている。たとえば、静電容量センサ４０は、第２フレーム１５の下面に取り付けられている。この場合には、万が一、カードリーダ１の内部にスキミング装置が取り付けられたときに、静電容量センサ４０によってスキミング装置が取り付けられたことを検知することが可能になる。
【００６５】
上述した形態において、カードリーダ１は、ＩＣ接点ブロック６および支持部材２１を備えていなくても良い。この場合には、本体フレーム４に、開口部３２、３３は形成されていない。すなわち、この場合には、カード移動路３の上下の両側面の、シャッタ部材１０よりも奥側の部分に、開口部３１のみが形成されており、開口部３１以外の開口部は形成されていない。この場合であっても、上述した形態と同様の効果を得ることができる。
【００６６】
上述した形態において、磁気ヘッド７がシャッタ部材１０よりも奥側に配置されていても良い。この場合には、第２フレーム１５に、磁気ヘッド７と第２フレーム１５との干渉を防止するための開口部が形成されている。すなわち、カード移動路３の下側面の、シャッタ部材１０よりも奥側の部分には、磁気ヘッド７と本体フレーム４との干渉を防止するための開口部が形成されている。この場合の磁気ヘッド７は可動部材であり、第２フレーム１５に形成される開口部は第２開口部である。
【００６７】
上述した形態では、カードリーダ１は、手動式のカードリーダであるが、本発明が適用されるカードリーダは、カード２の搬送機構を有するカード搬送式のカードリーダであっても良い。この場合には、たとえば、カード２を搬送する駆動ローラおよびパッドローラがシャッタ部材１０よりも奥側に配置されるとともに、カード移動路３に臨むように配置されている。駆動ローラおよびパッドローラは、カード２を搬送するときに回転する。
【００６８】
また、この場合には、カード移動路３の上側面および下側面のいずれか一方の、シャッタ部材１０より奥側の部分に、駆動ローラと本体フレーム４との干渉を防止するための開口部が形成され、カード移動路３の上側面および下側面のいずれか他方の、シャッタ部材１０より奥側の部分に、パッドローラと本体フレーム４との干渉を防止するための開口部が形成されている。この場合の駆動ローラおよびパッドローラは可動部材であり、カード移動路３の上側面および下側面に形成される開口部は第２開口部である。
【００６９】
上述した形態において、開口部３１の前後方向の最大幅Ｗ１は、開口部配置部１０ｃの前後方向の幅Ｗ２の１．３倍未満であっても良いし、２倍を超えていても良い。また、上述した形態において、第１フレーム１４と第２フレーム１５とが一体で形成されていても良い。たとえば、第１フレーム１４と第２フレーム１５とが一体成形されていても良い。また、第１フレーム１４と第３フレーム１６とが一体で形成されていても良いし、第２フレーム１５と第３フレーム１６とが一体で形成されていても良い。
【００７０】
上述した形態において、カードリーダ１の左側面が下側を向くようにカードリーダ１が設置されていても良い。この場合には、開口部３５を利用して塵埃等の異物をカード移動路３から排出することが可能になる。また、上述した形態において、カード２は、厚さが０．１８〜０．３６ｍｍ程度のＰＥＴ（ポリエチレンテレフタレート）カードであっても良いし、所定の厚さの紙カード等であっても良い。
【符号の説明】
【００７１】
１  カードリーダ
２  カード
３  カード移動路
４  本体フレーム
６  ＩＣ接点ブロック（可動部材）
１０  シャッタ部材
１０Ａ  閉鎖位置
１０Ｂ  開放位置
１０ｃ  開口部配置部
１４  第１フレーム（第２ガイド部）
１５  第２フレーム（ガイド部）
１５ｃ  傾斜面
１６  第３フレーム（シャッタ保持部）
２１  支持部材（可動部材）
３１  開口部（第１開口部）
３２、３３  開口部（第２開口部）
３５  開口部（第３開口部）
４０  静電容量センサ
Ｗ１  カードの移動方向における第１開口部の最大幅
Ｗ２  カードの移動方向における開口部配置部の幅
Ｘ  カードの移動方向
Ｘ１  奥側
Ｙ  カードの幅方向
Ｚ  カードの厚さ方向
【図１】
2019200682.tif 000003
【図２】
2019200682.tif 000004
【図３】
2019200682.tif 000005
【図４】
2019200682.tif 000006
【図５】
2019200682.tif 000007
【図６】
2019200682.tif 000008